(57)【要約】【課題】振動及び騒音を低減可能な給水装置を提供すること。【解決手段】給水装置１は、その周縁に据付面に接地する接地部２３が突出するベース本体１０ａ、及び、吸込流路、自吸室及び吐出流路を形成する流路部１０ｂを有し、ベース本体１０ａ及び流路部１０ｂが樹脂材料により一体成型され、その底部が凹むベース部１０と、前記ベース部１０上に配置されるモータ１３ａが一体に形成されたポンプ１３と、ベース部１０下面に固定される吸音体３０と、を備える構成とする。【選択図】      図１
2012047066.tif 000002
【特許請求の範囲】
【請求項１】
その周縁に据付面に接地する接地部が突出するベース本体、及び、吸込流路、自吸室及び吐出流路を形成する流路部を有し、前記ベース本体及び前記流路部が樹脂材料により一体成型されたベース部と、
モータが一体に形成された、前記ベース部上に配置されるポンプと、
前記ベース部下面に固定される吸音体と、を備えることを特徴とする給水装置。
【請求項２】
前記吸音体は、
弾性変形が可能、且つ、吸音性能を有する材料であって、その外周形状が前記接地部の内周形状と同一形状に形成され、
前記接地部の内面側に嵌合により固定されることを特徴とする請求項１に記載の給水装置。
【請求項３】
前記ベース部の上部を覆うカバーと、
前記カバーに設けられ、前記カバーの制振が可能な制振部材と、
をさらに備えることを特徴とする請求項１に記載の給水装置。
【発明の詳細な説明】
【技術分野】
【０００１】
本発明は、ベースにポンプ及びモータが一体に設けられた給水装置に関する。
【背景技術】
【０００２】
井戸などに用いられる自給式の自動運転を行なう給水装置として、樹脂材料で形成されたベースにケーシング、ポンプ、モータ及びインバータ等を搭載したものが知られている。また、給水装置は、ベース上をカバーで覆うことで、ポンプ、モータ及びインバータを内部に収納し、各構成要素を外部から保護する構成も知られている。
【０００３】
このような給水装置に用いられるケーシングは、金属材料で形成され、例えば、ポンプのポンプケーシング、吸込管路、吐出管路、及び、自吸室が一体に形成されている。しかし、ケーシングを金属材料で形成すると、給水装置の重量や製造コストが増加する。
【０００４】
そこで、さらなる軽量化及び製造コストの低減を達成するために、金属製のケーシングを樹脂材料で形成するとともに、樹脂製のベースに一体に成型したものも知られている（例えば、特許文献１参照）。
【先行技術文献】
【特許文献】
【０００５】
【特許文献１】特開２００９−２７０４６２号公報
【発明の概要】
【発明が解決しようとする課題】
【０００６】
上述したような給水装置では、次のような問題があった。即ち、上述した給水装置は、金属ケーシングを樹脂製とし、ベースと一体成型したことで、モータの振動がベースに伝達し、ベースの振動が大となる虞がある。
【０００７】
また、ポンプカバーにも、ベースを介して振動が伝達する虞もある。このような振動は、騒音の発生の原因となることから、運転による騒音の低下の要求があった。
【０００８】
そこで本発明は、騒音の低減が可能な樹脂材料で形成されたベースにケーシングが一体に成型された給水装置を提供することを目的としている。
【課題を解決するための手段】
【０００９】
前記課題を解決し目的を達成するために、本発明の給水装置は次のように構成されている。
【００１０】
本発明の一態様として、その周縁に据付面に接地する接地部が突出するベース本体、及び、吸込流路、自吸室及び吐出流路を形成する流路部を有し、前記ベース本体及び前記流路部が樹脂材料により一体成型されたベース部と、モータが一体に形成された、前記ベース部上に配置されるポンプと、前記ベース部下面に固定される吸音体と、を備えることを特徴とする給水装置ことを特徴とする。
【発明の効果】
【００１１】
本発明によれば、樹脂材料によりベースにケーシングが一体に成型された給水装置であても、騒音の低減が可能となる。
【図面の簡単な説明】
【００１２】
【図１】本発明の一実施の形態に係る給水装置の構成を示す分解斜視図。
【図２】同給水装置のベース部の構成を示す底面図。
【図３】同給水装置に用いられるベース部及び吸音体の構成を模式的に示す底面図。
【図４】同給水装置に用いられるポンプカバーの構成を示す平面図。
【発明を実施するための形態】
【００１３】
図１は本発明の一実施の形態に係る給水装置１の構成を一部分解して示す斜視図、図２は同給水装置１に用いられるベース部１０の底面の構成を示す平面図、図３は同ベース部１０の底面に吸音体３０を組み付けた構成を示す平面図、図４は同給水装置１に用いられるポンプカバー４の内部構成を下方から模式的に示す平面図である。尚、図１〜８中、Ｐはプラグを、Ｓはねじをそれぞれ示している。
【００１４】
図１に示すように、給水装置１は、本体部２と、本体部２の上方を覆い、固定手段３により本体部２に固定されるポンプカバー（カバー）４と、を備えている。ここで、固定手段３は、クランプ５及び止めビス６等が用いられる。
【００１５】
本体部２は、樹脂材で一体成型されたベース部１０と、ベース部１０に設けられ、自吸を行なう自吸部１１と、ベース部１０上に配置されたモータ１３ａ及び図示しないポンプ部を有するポンプ１３と、を備えている。
【００１６】
また、本体部２は、アキュムレータ１４と、自吸部１１の上面に設けられ、ポンプ１３の吐出流量及び吐出圧力の少なくとも一方を検出する検出器１５と、モータ１３ａの制御を行なうインバータ１６と、を備えている。また、本体部２は、ベース部１０の底面に固定される吸音体３０を備えている。
【００１７】
このような本体部２は、ベース部１０の上面に、ベース部１０の外周面より内側であって、互いに当接しない間隔を有して自吸部１１、ポンプ１３、アキュムレータ１４、検出器１５及びインバータ１６が配置されている。
【００１８】
ベース部１０は、例えばポリプロピレンにグラスファイバーが３０％含有するＰＰ−ＧＦ３０％等の樹脂材料で成型されている。ベース部１０は、給水装置１の設置の際にその下部で据付面に接地させるベース本体１０ａに、吸込流路、ポンプケーシング、自吸部１１の一部、及び、吐出流路を形成する流路部１０ｂが一体成型されている。
【００１９】
ベース部１０は、接地側（底面側）が開口する箱状に形成されている。ベース部１０は、その内部に図２に示すように補強用のリブ２２が複数成型されている。また、ベース部１０は、設置時において、据付面に接触する接地部２３がその周縁に突出して設けられている。
【００２０】
換言すると、ベース部１０は、ベース本体１０ａの下面側であって、且つ、周縁から接地部２３が突出することで、ベース本体１０ａの下面及び接地部２３の内側により、その下面が凹む形状に形成される。
【００２１】
また、ベース部１０は、下面に、流路部１０ｂ、自吸部１１及びリブ２２が接地側に突出して形成されている。なお、これら流路部１０ｂ、自吸部１１及びリブ２２は、その下端が、ベース部１０の設置（接地部２３の接地）時に、据付面よりも高い位置となる高さに突出する。なお、ベース部１０は、流路部１０ｂの吸込流路及び吐出流路の端部に、配管と接続するフランジ１０ｃを備えている。
【００２２】
自吸部１１は、箱型に形成された自吸室と、この自吸室の内部を天井部で連続する２つの空間に仕切る気液分離板を有して形成される。なお、自吸部１１は、ベース部１０の底面から、気液分離板が着脱可能に形成されている。即ち、自吸部１１は、下面が開口する箱状に形成された流路部１０ｂの一部と、気液分離板が一体に形成された蓋部材１１ａとにより構成される。
【００２３】
図２に示すように、自吸部１１は、ベース部１０の底面に蓋部材１１ａをねじ部材Ｓ等により固定される。また、自吸部１１は、その上部に、プラグＰにより閉塞された呼水用の呼水穴１１ｂを有している。
【００２４】
ポンプ１３は、例えばカスケードポンプ（渦流れポンプ）が用いられる。ポンプ１３は、鉛直方向に配置される回転軸を有するモータ１３ａと、回転軸に固定される羽根車と、ベース部１０に一体に形成されたポンプケーシングと、その内部に羽根車が配置されるポンプケーシングに固定されるインナーケーシングと、を備えている。
【００２５】
即ち、ポンプ１３は、モータ１３ａ，ベース部１０に設けられたポンプケーシング、羽根車及びインナーケーシングが組み合わさることで形成される。
【００２６】
インバータ１６は、モータ１３ａ及び検出器１５と信号線を介して接続され、検出器１５からの検出結果（以下、信号）を、信号線を介して受信し、この受信した信号に基いてモータ１３ａを制御可能に形成されている。
【００２７】
また、インバータ１６は、外部との情報の入出力が可能に形成されており、外部との接続を行なう端子部１６ａ、運転状況やエラー等を外部へと光等で報知する報知手段１６ｂ及び外部からインバータ１６へ電力を供給する電源ケーブル１６ｃ等を備えている。
【００２８】
吸音体３０は、例えば、海綿体、発泡性樹脂及びグラスウール等の吸音性能が高く、且つ、弾性変形が可能な材料で形成されている。吸音体３０は、ベース部１０の下面に設けられている。詳しくは、吸音体３０は、その外周形状が、接地部２３の内周形状と略同一に形成され、ベース部１０の接地部２３の内側に収納可能に形成されている。
【００２９】
吸音体３０は、ベース部１０の蓋部材１１ａが設けられる位置が開口する開口部３１を備えている。また、吸音体３０は、ベース部１０の底面に設けた際に、その底面が接地部２３の端部と面一又は接地部２３よりも上方に位置する厚さに形成されている。
【００３０】
具体的には、吸音体３０は、その外形状が接地部２３の内周形状よりも若干大に形成されている。このような吸音体３０は、接地部２３の内面側へ固定する際には、縮小方向に弾性変形させて接地部２３内部に挿入し、その復元により接地部２３内に嵌合させる。
【００３１】
ポンプカバー４は、その下端部をベース部１０の外周縁に載置可能に形成され、固定手段３により固定可能に形成されている。また、ポンプカバー４は、図４に示すように、その内面の上部（天井面）４ａに、制振部材４０が固定されている。
【００３２】
この制振部材４０は、例えば、ゴム板等の樹脂材料で形成されている。制振部材４０は、ポンプカバー４の天井面に設けられることで、ポンプカバー４の振動を吸収可能に形成されている。
【００３３】
なお、精神部材４０は、ポンプカバー４に設けられることで、ポンプカバー４の剛性や強度を向上させ、ポンプカバー４の変形を防止する等により、制振が可能な構成であってもよい。
【００３４】
このように構成された給水装置１は、先ず、据付面に設置させ、井戸や受水層等が流路部の吸込流路に、配管及びフランジ等を介して接続される。次に、給水装置１は、吐出流路に、フランジ及び配管等を介して給水先に接続される。また、インバータ１６の電源ケーブル１６ｃが家庭用電源に接続される。
【００３５】
運転指示がインバータ１６に与えられると、インバータ１６を介してモータ１３ａに電力が供給され、モータ１３ａが駆動されることとなる。モータ１３ａが駆動することで、回転軸が回転し、この回転軸に接続・固定されている羽根車が回転軸に追従して回転する。これにより、ポンプ１３は、ポンプケーシング内の水を圧送する。
【００３６】
このような、給水装置１の運転において、モータ１３ａの回転により、振動が発生する。この振動は、モータ１３ａを介してベース部１０に伝達されるとともに、ベース部１０の振動がポンプカバー４に伝達される。また、羽根車の回転や増圧により騒音が発生する。なお、この騒音も、振動として、さらにベース部１０に伝達されることとなる。
【００３７】
吸音体３０は、ベース部１０の底面に設けられることで、ベース部１０の振動を吸収するとともに、ポンプ１３により発生する騒音を吸音する。具体的には、吸音体３０は、据付面、接地部２３及びベース部１０の底面間により形成される空間に配置されるため、この空間内の音の吸音を行い、結果騒音を減少させることとなる。
【００３８】
また、吸音体３０は、ベース部１０の振動を吸収することで、ベース部１０から据付面やポンプカバー４等の他構成部材への振動の伝達を減少させる。これらのことにより、ベース部１０及びポンプ１３により発生する騒音を低減することが可能となる。
【００３９】
また、制振部材４０は、ベース部１０を介して伝達されたポンプカバー４の振動を減衰させ、ポンプカバー４の振動を低減することが可能となる。これにより、ポンプカバー４の振動により発生する騒音を低減させることが可能となる。
【００４０】
このように構成された給水装置１によれば、吸音体３０がベース部１０の底面に設けられることで、ベース部１０により発生した振動を吸収し、且つ、発生する騒音を、広い範囲により吸音する。これにより、吸音体３０は、発生する振動及び騒音を、極力低減させることが可能となる。
【００４１】
また、吸音体３０は開口部３１を有することで、給水装置１のメンテナンス時等に、着脱させる蓋部材１１ａの着脱の妨げになることもない。さらには、吸音体３０は、弾性変形が可能な材料で形成されている。
【００４２】
このため、圧縮させて接地部２３内に配置させた後、吸音体３０自身の復元により接地部２３内に嵌合により取り付けることで、ベース部１０に固定可能となる。嵌合により吸音体３０を接地部２３内に固定することが可能となるため、接着剤等が必要とならない。
【００４３】
また、弾性変形させた吸音体３０を、設置部２３内に挿入して嵌合させるだけであり、固定に必要な作業も簡易である。これらのことから、製造コストを増大させることなく、騒音の低減が可能な給水装置１を提供することが可能となる。
【００４４】
また、さらに制振部材４０を設けることで、ポンプカバー４の振動を低減し、結果、ポンプカバー４の振動により発生する騒音を低減させることが可能となる。
【００４５】
上述したように、本実施の形態に係る給水装置１によれば、各流路が一体に成型された樹脂材料のベース部１０に、ポンプ１３等の各構成要素が載置される構成であっても、吸音体３０及び制振部材４０により、振動及び騒音を低減することが可能となる。
【００４６】
なお、本発明は前記実施の形態に限定されるものではない。例えば、上述した制振部材４０は、ポンプカバー４の天井面に設ける構成としたが、これに限定されない。例えば、制振部材は、ベース部１０とポンプカバー４との当接部位に介在させる構成であってもよい。
【００４７】
また、ポンプカバー４の内面に、制振部材４０を複数設ける構成であってもよく、部位も適宜設定できる。また、上述した吸音体３０は、ベース部１０の底面に接着剤や接着テープ等により接着させる構成であってもよい。
【００４８】
さらには、上述した構成では、吸音体３０は、開口部３１を有する構成としたが、これに限定されない。例えば、吸音体３０は、開口部３１を有さない構成とし、蓋部材１１ａの着脱時においては、吸音体３０をベース部１０から取り外した後に行ってもよい。この場合、蓋部材１１ａの着脱の作業性は低減するが、吸音体３０の吸音性能は向上する。
【００４９】
また、他にも、吸音体３０の開口部３１を閉塞する閉塞部材をさらに備えてもよい。この閉塞部材は、吸音体３０と同材料とし、さらに、開口部３１の内周形状とその外周形状を同一とすれば、接着剤等を必要とせず、嵌合により着脱できる。この他、本発明の要旨を逸脱しない範囲で種々変形実施可能である。
【符号の説明】
【００５０】
１…給水装置、２…本体部、３…固定手段、４…ポンプカバー（カバー）、４ａ…上部、５…クランプ、６…ビス、１０…ベース部、１０ａ…ベース本体、１０ｂ…流路部、１０ｃ…フランジ、１１…自吸部、１１ａ…蓋部材、１１ｂ…呼水穴、１３ａ…モータ、１３…ポンプ、１４…アキュムレータ、１５…検出器、１６…インバータ、１６ａ…端子部、１６ｂ…報知手段、１６ｃ…電源ケーブル、２２…リブ、２３…接地部、３０…吸音体、３１…開口部、４０…制振部材、Ｐ…プラグ、Ｓ…部材。
【図１】
2012047066.tif 000003
【図２】
2012047066.tif 000004
【図３】
2012047066.tif 000005
【図４】
2012047066.tif 000006